Podtech/llm-jp-corpus-v4-ja_patent huggingface dataset:
(57)【要約】【課題】  電気信号によってスピーカーに出力している既存のデジタル形式の音楽再生機に比べて、より高いビット速度を実現すること。【解決手段】  本発明では、デジタル形式の記憶媒体より抽出した音楽データを、それに従った交流電流に変換する。その交流電流によって２基の発光ダイオードを音楽データに従って点滅させる。２基の発光ダイオードによる光信号を光ファイバーを通してスピーカー側にある２基のフォトダイオードに届ける。音楽データに連動している光信号を２基のフォトダイオードによって交流電流に変換し、その交流電流によってスピーカーを作動させる。この一連の動作によって、本発明はデジタル形式の音楽データをスピーカーから出力する。【選択図】図１
2011234330.tif 000002
【特許請求の範囲】
【請求項１】
本発明を構成要素の一部として利用したデジタルデータ形式の音楽再生機。
【請求項２】
本発明に交流電流の増幅回路を付加して、本発明を構成要素の一部として利用したデジタルデータ形式の音楽再生機。
【発明の詳細な説明】
【技術分野】
【０００１】  本発明は、デジタル形式の音楽データを保存している記憶媒体から、音楽データを抽出してスピーカーに出力する、音楽再生機に関するものである。
【背景技術】
【０００２】  既存のデジタル形式の音楽再生機は、記憶媒体から抽出した音楽データを、電気信号に変換してスピーカーに出力している。【０００３】  しかし、より音質の良い音楽を聞こうとした場合、一曲あたりのデータ量が増加する。その曲を再生するためには既存の音楽再生機のビット速度に比べてより高いビット速度が必要になってくる。従って、既存の電気信号による音楽再生機とスピーカーとの間のやり取りには限界が生じてくる。
【発明の概要】
【発明が解決しようとする課題】
【０００４】  電気信号によってスピーカーに出力している既存のデジタル形式の音楽再生機に比べて、より高いビット速度を実現すること。
【課題を解決するための手段】
【０００５】  本発明では、デジタル形式の記憶媒体より抽出した音楽データを、それに従った交流電流に変換する。その交流電流によって２基の発光ダイオードを音楽データに従って点滅させる。２基の発光ダイオードによる光信号を光ファイバーを通してスピーカー側にある２基のフォトダイオードに届ける。音楽データに連動している光信号を２基のフォトダイオードによって交流電流に変換し、その交流電流によってスピーカーを作動させる。この一連の動作によって、本発明はデジタル形式の音楽データをスピーカーから出力する。
【発明の効果】
【０００６】  本発明によって、既存の音楽再生機に比べてより高いビット速度を実現することができる。
【図面の簡単な説明】
【０００７】
【図１】  光アナログ音楽再生機の構造概要図。
【産業上の利用可能性】
【０００８】  音楽再生機により良い音質を追及するユーザに対して、本発明を音楽再生機として提供する。
【符号の説明】
【０００９】１  デジタル形式の記憶媒体から音楽データを抽出し、それを交流信号に変換する装置。
２  導線。
３  発光ダイオード。
４  光ファイバー。
５  フォトダイオード
６  スピーカー。
【図１】
2011234330.tif 000003
(57)【要約】【課題】本発明は、もとになる回転体に、もう一つの別の回転体とモーターを設けた発電装置を提供する。【解決手段】  もとになる回転体に、もう一つの別の回転体とモーターを設けた事を特徴とする。【選択図】    図２
2011234480.tif 000002
【特許請求の範囲】
【請求項１】
回転体本体に、別の回転体を隣接させて固定し、より大きな発電出力を得ることを特徴とする発電装置。
【発明の詳細な説明】
【技術分野】
【０００１】
本発明は、回転体とモーターを用いた発電装置に関する。
【背景技術】
【０００２】
従来は、回転体「図１」Ａ  本体に、もう一つの別の回転体「図２」Ｂを隣接させて、さらなる発電出力を得ようとする装置は無かった。
【先行技術文献】
【特許文献】
【０００３】
【特許文献１】特開２００６−１０１６１２
【特許文献２】特開２００６−１０９５４９
【発明の概要】
【発明が解決しようとする課題】
【０００４】
円柱形もしくは、球形の回転体 「図１」Ａ  本体から得る発電出力は、モーター回転数によるもので、限られていた。
【課題を解決するための手段】
【０００５】
本発明は、円柱形もしくは、球形の回転体 「図１」Ａに、もう一つの別の回転体「図２」Ｂを隣接させて、より大きい発電出力を得る。回転体Ｂにはモーターを設ける。隣接する回転体の個数を増やして「図３」  上記課題を解決する。
【発明の効果】
【０００６】
円柱形もしくは、球形の回転体 「図１」Ａに、もう一つの別の回転体「図２」Ｂを、シャフトと回転体Ｂの中心と回転体Ａの中心が一直線上にある様に隣接させ、固定して発電出力を得る。回転体Ｂにはモーターを設ける。より大きな発電出力を得るために、隣接する回転体の個数を増やす「図３」。
【図面の簡単な説明】
【０００７】
【図１】もとになる回転体Ａと、モーターの平面図。
【図２】もとになる回転体に別の回転体Ｂと、モーターを設けた平面図。
【図３】もとになる回転体に複数個の回転体Ｂ・Ｃ・Ｄ・Ｅ と、モーターを設けた平面図。
【図４】もとになる回転体が円柱形の場合の概略斜視図
【発明を実施するための形態】
【０００８】
円柱形もしくは、球形の回転体 「図１」Ａに、もう一つの別の回転体「図２」Ｂを、シャフトと回転体Ｂの中心と回転体Ａの中心が一直線上にある様に隣接させ、固定して発電出力を得る。回転体Ａのリングに、溜ったエネルギーを蓄えるライデンびんなどを設ける。回転体Ｂにはモーターを設ける。
より大きな発電出力を得るために、装着する回転体の個数を増やす「図３」。
本発明は、以上のような構造である。
【実施例】
【０００９】
もとになる回転体が円柱形の場合に、複数個の別の回転体を隣接させた「図４」
【符号の説明】
【００１０】
Ａ      もとになる回転体  
Ｂ      回転体
Ｃ      回転体
Ｄ      回転体
Ｅ      回転体
１      回転体
２      リング（遠心力止め）        
３      モーター          
４      入力電源コード
５      モーター
６      出力電源コード
７      シャフト
８      ライデンびん
９      モーター
１０      出力電源コード
ＡＡ      もとになる円柱形回転体
【図１】
2011234480.tif 000003
【図２】
2011234480.tif 000004
【図３】
2011234480.tif 000005
【図４】
2011234480.tif 000006
(57)【要約】【課題】  菜園で土を耕しながら液体肥料の散布と種の散布が容易に連続的かつ効率的に行うことができる耕うん付種肥回転散布器を提供する。【解決手段】  液体肥料を入れるための円形容器の両端に耕うん刃と回転輪を設け、円筒容器のタンクの中にボトルケースを設ける。回転輪の外側面にプッシュボタンと注水液口とネジ蓋を設け、円筒容器の円弧面の適所に液肥散布用開閉具と種蒔用開閉具と種一筋蒔用開閉具を設け、液肥散布用開閉具にキャップと排出孔を設ける。更に種蒔用開閉具と種一筋蒔用開閉具に収納ケースとキャップと注種口と排出孔を設けたことを特徴とする耕うん付種肥回転散布器。【選択図】図５
2011234703.tif 000002
【特許請求の範囲】
【請求項１】
液体肥料を入れるための円筒容器の両端に耕うん刃と回転輪を設け、円筒容器のタンクの中にボトルケースを設け、回転輪の外側面にプッシュボタンと注水液口とネジ蓋を設け、円筒容器の円弧面の適所に液肥散布用開閉具と種蒔用開閉具と種一筋蒔用開閉具を設け、液肥散布用開閉具にキャップと排出孔を設け、種蒔用開閉具と種一筋蒔用開閉具に収納ケースとキャップと注種口と排出孔を設けたことを特徴とする耕うん付種肥回転散布器。
【発明の詳細な説明】
【技術分野】
【０００１】  本発明は、菜園で土を耕しながら液体肥料の散布と種の散布が容易に連続的かつ効率的に行うことができる耕うん付種肥回転散布器に関するものである。
【背景技術】
【０００２】  従来の可搬式散布器は噴射式ノズルによる液体肥料散布器が主体であった（特許文献１、特許文献２）。
耕うんと種蒔と液体肥料散布は別々の手段で行っていた。
【特許文献１】特開２００１−０１７８９４号公報
【特許文献２】特開２００３−２３６４１３号公報
【発明の開示】
【発明が解決しようとする課題】
【０００３】  そのために次のような問題点があった。
（イ）土を耕す、液体肥料を散布する、種を蒔くという作業が別々に３度手間になって効率が悪かった。
（ロ）耕して、液体肥料を散布して種を蒔く場合は手や肩や腰が疲れたり、衣類や手が汚れてしまった。
本発明は以上の問題点を解決するためになされたものである。
【課題を解決するための手段】
【０００４】  液体肥料を入れるための円筒容器の両端に耕うん刃と回転輪を設け、円筒容器のタンクの中にボトルケースを設ける。回転輪の外側面にプッシュボタンと注水液口とネジ蓋を設ける。円筒容器の円弧面の適所に液肥散布用開閉具と種蒔用開閉具と種一筋蒔用開閉具を設ける。液肥散布用開閉具にキャップと排出孔を設ける。種蒔用開閉具と種一筋蒔用開閉具に収納ケースとキャップと注種口と排出孔を設ける。
以上を特徴とする耕うん付種肥回転散布器である。
【発明の効果】
【０００５】  本発明は、土を耕し、液体肥料と種蒔の散布が一行程で行うことができる。
また、身体の疲労と身体の汚れや衣類の汚れが大変軽減され、連続的かつ効率的に作業を行うことができる。
【発明を実施するための最良の形態】
【０００６】  以下、本発明を実施するための最良の形態について説明する。
（イ）円筒容器（１）の両端に回転輪（２）を設け、それを被覆するように耕うん刃（３）を設ける。
（ロ）円筒容器（１）のタンク（２３）の中にノズル（１５）の付いた液体肥料の原液ボトル（１８）を収納するボトルケース（１７）を設ける。
（ハ）円筒容器（１）の回転輪（２）の外側面にノズル（１５）の付いた原液ボトル（１８）の原液（１９）を放出させるパッキン（１４）の付いたプッシュボタン（４）を設ける。
（ニ）円筒容器（１）の外壁の円弧面の適所に円弧状の底部を有する液肥散布用開閉具（５）を設ける。
（ホ）円筒容器（１）の外壁の円弧面の別の適所に円弧状の底部を有する種蒔用開閉具（６）を設ける。
（ヘ）円筒容器（１）の外壁の円弧面の別の適所に円弧状の底部を有する種一筋蒔用開閉具（７）を設ける。
（ト）円筒容器（１）の回転輪（２）の外側面にノズル（１５）の付いた原液ボトル（１８）の台座用のネジ蓋（８）を設ける。
（チ）円筒容器（１）の回転輪（２）の外側面の別の位置に水道水と希釈液の注水液口（９）を設ける。
（リ）液体散布用開閉具（５）にキャップ（１１）と排出孔（２１）を設ける。
（ヌ）種蒔用開閉具（６）に収納ケース（１０）とキャップ（１１）と注種口（１２）と排出孔（２１）を設ける。
（ル）種一筋蒔用開閉具（７）に収納ケース（１０）とキャップ（１１）と注種口（１２）と排出孔（２１）を設ける。
本発明は以上のような構成である。
これを使用するときは、円筒容器（１）のタンク（２３）の中に水道水を注水液口（９）より一定量入れて、円筒容器（１）のタンク（２３）の中にあるボトルケース（１７）に収納されているノズル（１５）の付いた原液ボトル（１８）のノズル（１５）を回転輪（２）の外側面に設けられたプッシュボタン（４）を指圧して、原液（１９）を放出して、水道水と原液（１９）を混合させて希釈液（２０）を作る。
種蒔用開閉具（６）と種一筋用開閉具（７）の収納ケース（１０）の注種口（１２）をキャップ（１１）をスライドさせて開口して種を入れる。
液肥散布用開閉具（５）の排出孔（２１）をキャップ（１１）をスライドさせて開口して、軸（１６）と連結した取手（１３）を握ったあと円筒容器（１）の両端の回転輪（２）を被覆した耕うん刃（３）を土（２２）に向って、強く放射状に転がして土を耕しながら希釈液（２０）を散布する。
次に種蒔用開閉具（６）の収納ケース（１０）の排出孔（２１）をキャップ（１１）をスライドさせて開口して、軸（１６）と連結した取手（１３）を握ったあと円筒容器（１）の両端の回転輪（２）を被覆した耕うん刃（３）を前方向に軽く、ゆっくり転がせば、一定間隔に均一に種を水平に蒔くことができる。また、種蒔用開閉具（６）の収納ケース（１０）の排出孔（２１）をキャップ（１１）をスライドさせて閉口すると共に、種一筋蒔用開閉具（７）の収納ケース（１０）の排出孔（２１）をキャップ（１１）をスライドさせて開口すれば、種を一筋方向に蒔くことができる。
また、円筒容器（１）のタンク（２３）の中で希釈液（２０）を作る代わりに、既に希釈液（２０）になっているものを注水液口（９）より円筒容器（１）のタンク（２３）の中に入れて液肥散布用開閉具（５）の排出孔（２１）をキャップ（１１）をスライドさせて開口して希釈液（２０）を散布することもできる。
【図面の簡単な説明】
【０００７】
【図１】本発明の斜視図
【図２】本発明の別の斜視図
【図３】本発明の別の斜視図
【図４】本発明の断面図
【図５】本発明の使用状態を示す斜視図
【符号の説明】
【０００８】１    円筒容器
２    回転輪
３    耕うん刃
４    プッシュボタン
５    液肥散布用開閉具
６    種蒔用開閉具
７    種一筋蒔用開閉具
８    ネジ蓋
９    注水液口
１０  収納ケース
１１  キャップ
１２  注種口
１３  取手
１４  パッキン
１５  ノズル
１６  軸
１７  ボトルケース
１８  原液ボトル
１９  原液
２０  希釈液
２１  排出孔
２２  土
２３  タンク
【図１】
2011234703.tif 000003
【図２】
2011234703.tif 000004
【図３】
2011234703.tif 000005
【図４】
2011234703.tif 000006
【図５】
2011234703.tif 000007
(57)【要約】【課題】従来は本発明の無いときは地面に落ちてから拾い上げる為、完全には処理できず、残留があるため、雨が降るたび下水道にながされ、寄生虫が発生する可能性がある。【解決手段】スペード形の形状の枠体にショッピングした時のビニール袋を取り付けて犬の糞が道路に落ちる前に処理することが出来る。本発明は、犬の股間に入るようスペード形にし、ビニール袋を枠体に取り付けたときに、ビニール袋がずり落ちないようにビニール系の塗料をコーティングしたものである。【選択図】図１
2011234710.tif 000002
【特許請求の範囲】
【請求項１】
先端に向かって狭小と成る枠体と把持部とからなり前記枠体の全体に滑り止め効果のある塗料で被膜したことを特徴とする犬の糞取り具である。
【発明の詳細な説明】
【技術分野】
【０００１】  本発明品は犬の散歩時に犬が糞をする時に処理する道具である。
【背景技術】
【０００２】  現在は犬を散歩させながら犬の糞を処理している状況は地面に、落ちてから、新聞紙あるいは、ビニール袋を片手に糞を直に掴む為、違和感があり、いやな感じでもある。その後、ボトルのなかに水、を入れ、その水をかけている様である。
【先行技術文献】
【０００３】
【特許文献１】  特開  ２００４−２５２５２０
【発明が解決しようとする課題】
【０００４】従来は糞の処理は地面に落ちてからの処理をするが故に衛生的にも又自然環境の妨げになる。又人間社会においてもかなりの迷惑行為である。本発明品は以上の問題点を解決するために作ったものである。
【課題を解決するための手段】
【０００５】スペード形の形状の枠体にショピングした時のビニール袋を取り付けて犬の糞が道路に落ちる前に処理することが出来る。本発明品は、犬の股間に入るようスペード形にし、ビニール袋を枠体に取り付けたときに、ビニール袋がずり落ちないようにビニール系の塗料をコーテイングしたものである。
【発明の効果】
【０００６】従来の方法では持ち運びに重く、糞を入れる袋も専用で、経済的ではない、袋を取り付けるにも、いろいろの金具がついているため段取りが大変、価格も高い、本発明品は糞の残留は無し、然も、簡単、軽量、デザインも良し、犬の散歩にもふさわしい形状である。社会的な美化運動にも衛生的にも効果抜群である。
【図面の簡単な説明】
【０００７】
【図１】本発明の斜視図
【図２】Ａ−Ａ  断面図
【図３】実施状態を示す説明図
【発明を実施するための形態】
【０００８】  以下、本発明の実施するための形態について説明する。
（イ）先端へ向かって狭小となる枠体と把持部とから成る。このとき枠体の形状は略三角形状又はスペード形状のような先端が狭小となるものが好ましい。
（ロ）上述した枠体の全体に、ビニール系の塗料、若しくわ、ゴム系統の塗料等の滑り止めの効果のある塗料で被膜する。そのとき把持部にはコーテイングは施さず、枠体の内側面、外側面、天面、下面はコーテイングする。
本発明は以上のような構造である。
【０００９】  本発明を使用するときは、枠体の内側にビニール袋を挿通させ、ビニール袋の開口部を枠体天面で外側へ５０センチ位折り返す。犬の糞が道路に落ちる前に処理することが出来る
【符号の説明】
【００１０】１    枠体        ２    把持部        ３．  ビニール
１１  先端
１２  天面
１３  下面
１４  内側面
１５  外側面
【図１】
2011234710.tif 000003
【図２】
2011234710.tif 000004
【図３】
2011234710.tif 000005
(57)【要約】【課題】図面（１）の状態に用意して、犬の運動に出かける。犬が排泄開始の体勢を取ったら、犬の下側に本発明を用意、本体（１）の中のコップ（９）の中へ排泄物を空中で取り込むことを提供する  ペットマナー【解決手段】犬を躾けることが基本である。コップ（９）の中へ小水、上側にフンを取り込みコップの蓋（８）をして本体の蓋（５）を締めて完了する本発明ペットマナー【選択図】図１
2011234707.tif 000002
【特許請求の範囲】
【請求項１】
本体（１）の底と、本体（１）の蓋（５）に取り付けた二つの磁石の吸引力を利用して、（１）と（５）の中間にコップの蓋（８）をはさんで保持する
ペットの排泄物を地面に落下する前に本体（１）の中のコップ（９）の中へ空中で取り込むことを特徴とするペットマナー
【発明の詳細な説明】
【技術分野】
【０００１】  本発明は犬の大便（以下フン）および小便（以下小水）を簡単に手際よく衛生的に片付ける為のものである。
【背景技術】
【０００２】従来は犬のフンおよび小水共に地面に落下してからティッシュペーパー、スコップ等を使用して片付けた。
その為地面に一部は残った。
又小水を舗装道路にした場合は持参したペットボトルの水で薄め流した。
不潔であり衛生上好ましくない。
【発明の概要】
【発明が解決しようとする課題】
【０００３】犬がフンおよび小水を地面に直接するのを回避するための発明である。
地面に着地したフンおよび小水は完全に取ることは不可能である。
従って排泄開始と着地の間には一瞬の時間がある。
その時間を使ってフンおよび小水をコップの中へ取り込むものである。
【課題を解決するための手段】
【０００４】図１に示す如く、本体（１）の中へコップ（９）を入れる。犬は口を開けないけれど人間の言うことは分かっている。子犬の頃から話しかける。すなわち躾である。
犬は小学校１年生から２年生くらいの頭がある。
子犬の頃から話しかけると名前と同じに言葉を覚える。
それが躾である。
犬は排泄を開始する時は事前に必ず身構える。
その時は図１の状態にした本発明を持ち飼い主も身構え、フンおよび小水を本体（１）の中のコップ（９）の中へ排泄物が地面に落下し着地する前に取り込むもので地面が汚れないので非常に衛生的である
本体（１）の容器の中へコップ（９）を蓋を取って入れ、更に（９）の中へは小水の吸い取り紙（１０）を入れる。
コップの蓋（８）を本体（１）の底に当てる。更に本体の蓋（５）をその下側に当てる。
その結果、磁石（２ａ）と磁石（２ｂ）が吸引コップの蓋（９）はその中間で保持される。
図１に示す如く使用開始状態にした本発明の取っ手（４）を持ってコップ（９）の中へ排泄物を取り込む。
最初に小水（１０）その後フン（１１）をする排泄物取り込み終了後、コップ（９）に蓋（８）をかぶせ本体（１）の蓋（５）を締め、フンおよび小水の取り込み完了となる。
小型犬用、中型犬用、大型犬用の３種類である。
【発明の効果】
【０００５】フンおよび小水が地面に着地する前に取り込むので、ティッシュペーパー、スコップ、ペットボトルの水も不要、空中でコップ（９）の中へ取り込むので地面が汚れない、衛生的であり飼い主の手も汚れない。
【図面の簡単な説明】
【０００６】
【図１】使用開始状態の正面図である
【図２】本体蓋の平面図である
【図３】本体の底面図である
【図４】本体の右側面図である
【図５】本体の左側面図である
【図６】コップの蓋とコップの正面図である
【図７】コップの蓋とコップの使用済み正面図である
【図８】本体の正面図である
【発明を実施するための形態】
【０００７】本体（１）の底面に磁石（２ａ）を取り付ける。
本体の蓋（５）にも磁石（２ｂ）を取り付ける。
始めにコップの蓋（８）を本体（１）の底面に当てる。
その上から本体（１）の蓋（５）を当てる。その結果、磁石（２ａ）と磁石（２ｂ）の吸引力により、コップの蓋（８）は保持される。
本体（１）の中へ小水吸い取り紙入りコップ（９）を入れ、犬の運動に出かける。
小水とフンを空中で取り込んだら、コップの蓋（８）をコップにかぶせ、そして本体の蓋（５）を締め付けて完了となる。
【符号の説明】
【０００８】１  本体
２  磁石
３  Ｏリング
４  取っ手
５  本体蓋
６  ネジ山
７  本体底
８  コップ蓋
９  コップ
１０  小水吸い取り紙
１１  フン
【図１】
2011234707.tif 000003
【図２】
2011234707.tif 000004
【図３】
2011234707.tif 000005
【図４】
2011234707.tif 000006
【図５】
2011234707.tif 000007
【図６】
2011234707.tif 000008
【図７】
2011234707.tif 000009
【図８】
2011234707.tif 000010
(57)【要約】【課題】手荷物等を柄のフックに吊り下げて支持しても、鉛直状態に保持するのに余分な力を必要としないフック付き傘の柄を提供することを目的とする。【解決手段】フック付き傘の柄において、傘の柄３に、前記傘の柄３が上方にある時手荷物を支持することが可能なフック４を設置し、前記フック４に手荷物を支持させ鉛直状態に保持した状態で傘軸中心線Ａ−Ａと手荷物の重力方向線Ｂが一致するように前記傘の柄３への前記フック設置位置を設定したことを特徴とする。【選択図】図１
2011234770.tif 000002
【特許請求の範囲】
【請求項１】
傘の柄に、前記傘の柄が上方にある時手荷物を支持することが可能なフックを設置し、前記フックに手荷物を支持させ鉛直状態に保持した状態で傘軸中心線と手荷物の重さによる重力方向線が一致するように前記柄への前記フック設置位置を設定したことを特徴とするフック付き傘の柄。
【発明の詳細な説明】
【技術分野】
【０００１】
本発明は、手荷物を支持するフックを傘の柄に形成したフック付き傘の柄に関する。
【背景技術】
【０００２】
特開２０００−２９６０１２号公報（特許文献１）には、図３に示されるように、傘１１の柄１２に、石突き１４を下にした時、手荷物を吊り下げ支持できるフック１３を柄１２に収納可能としたフック付き傘の柄が開示されている。
【０００３】
また、特開２００４−２５５１５０号公報（特許文献２）には、図４に示されるように、傘の２１の柄２２の先端に、石突き２４を下にした時、手荷物を吊り下げ支持できるフック２３を一体に形成したフック付き傘の柄が開示されている。
【先行技術文献】
【特許文献】
【０００４】
【特許文献１】特開２０００−２９６０１２号公報
【特許文献２】特開２００４−２５５１５０号公報
【発明の概要】
【発明が解決しようとする課題】
【０００５】
しかしながら、特許文献１及び特許文献２に記載されたものは、傘を床、地面等の水平面に対して鉛直に支持した状態で、傘の軸中心線（Ａ−Ａ線）に対して、フックに手荷物を吊り下げ支持した場合の手荷物の重さによる重力方向線Ｂが一致していない。そのため、傘の柄のフックに手荷物を吊り下げ支持した場合、傘に対して傾斜する方向のモーメントＦが作用する。傘に対する傾斜する方向のモーメントＦは、傘の軸中心線（Ａ−Ａ線）と手荷物の重さによる重力方向線Ｂとの距離Ｈが大きいほど大きくなる。その結果、手荷物をフックに吊り下げ支持した傘を床や地面に石突きを支持させた状態で柄を握って鉛直に保持しようとすると、モーメントＦに対して抵抗する力が必要となる。例えば、振動する電車の中等で手荷物をフックに吊り下げ支持した傘を鉛直に保持するのに余分な力を必要とし、特に非力なお年寄りやご婦人には大きな負担となっていた。
【０００６】
本発明は、前記従来技術の持つ課題を解決するもので、手荷物等を柄のフックに吊り下げて支持しても、鉛直状態に保持するのに余分な力を必要としないフック付き傘またはステッキの柄を提供することを目的とする。
【課題を解決するための手段】
【０００７】
本発明のフック付き傘の柄は、前記課題を解決するために、傘の柄に、前記傘の柄が上方にある時手荷物を支持することが可能なフックを設置し、前記フックに手荷物を支持させ鉛直状態に保持した状態で傘軸中心線と手荷物の重さによる重力方向線が一致するように前記柄への前記フック設置位置を設定したことを特徴とする。
【発明の効果】
【０００８】
傘の柄に、前記傘の柄が上方にある時手荷物を支持することが可能なフックを設置し、前記フックに手荷物を支持させ鉛直状態に保持した状態で傘軸中心線と手荷物の重力方向線が一致するように前記傘の柄への前記フック設置位置を設定した構成により、傘軸中心線と手荷物の重さによる重力方向線が一致しているので、手荷物の重さによるモーメントの発生がなく手荷物をフックに支持した傘を余分な力をかけることなく保持することが可能となる。
【図面の簡単な説明】
【０００９】
【図１】本発明の実施形態を示す図である。
【図２】本発明の他の実施形態を示す図である。
【図３】従来技術を示す図である。
【図４】従来技術を示す図である。
【発明を実施するための形態】
【００１０】
本発明の実施の形態を図により説明する。図１は傘１に本発明を適用した実施形態を示す。
【００１１】
傘１は、石突き５から直線的に延びる傘軸２と傘軸２の端部に横方向または斜め横方向に延びる使用者が握る傘の柄３を備えている。傘１が折り畳まれた状態で、傘の柄３が上方にある時、手荷物等を吊り下げ支持可能なフック４を傘の柄３に設置する。フック４は傘の柄３と一体に形成しても、フック４を別体に形成し、傘の柄３にねじ止や嵌めこみ等の固定手段を介して固定しても良い。
【００１２】
フック４の傘の柄３への設置位置は、折り畳んだ傘１を床や地面に対して鉛直状態でフック４に手荷物を吊り下げ支持した時、手荷物の重さによる重力方向線Ｂと傘軸２の中心線Ａ−Ａが一致するようにする。その結果、傘の柄３のフック４に手荷物を吊り下げ支持した状態で折り畳んだ傘１を鉛直に保持する際、手荷物の重さによる傘１を傾斜させる方向のモーメントＦが発生しないので余分な力を必要としない。
【００１３】
図２は、本発明のフック付き柄をステッキの柄に適用した実施形態を示す。
【００１４】
ステッキ６は、直線的に延びる棒状部７と、棒状部７の上端に横方向または斜め横方向に延びる使用者が握るステッキの柄８を備えている。ステッキの柄８が上方にある時、手荷物等を吊り下げ支持可能なフック９をステッキの柄８に設置する。フック９はステッキの柄８と一体に形成しても、フック９を別体に形成し、ステッキの柄８にねじ止や嵌めこみ等の固定手段を介して固定しても良い。
【００１５】
フック９のステッキの柄８への設置位置は、ステッキ６を床や地面に対して鉛直状態でフック９に手荷物を吊り下げ支持した時、手荷物の重さによる重力方向線Ｂとステッキ６の棒状部７の軸中心線Ａ−Ａが一致するようにする。その結果、ステッキの柄８に設置したフック９に手荷物を吊り下げ支持した状態でステッキ６を鉛直に保持する際、手荷物の重さによるステッキ６を傾斜させる方向のモーメントＦが発生しないので余分な力を必要としない。
【００１６】
以上のように、本発明の構成によれば、手荷物を吊り下げ支持し、鉛直状態に保持する際、余分な力を必要としないフック付き傘またはステッキの柄を提供することが可能となる。
【符号の説明】
【００１７】
１：傘、２：傘軸、３：傘の柄、４：フック、５：石突き、６：ステッキ、７：棒状部、８：ステッキの柄、９：フック
【図１】
2011234770.tif 000003
【図２】
2011234770.tif 000004
【図３】
2011234770.tif 000005
【図４】
2011234770.tif 000006
(57)【要約】【課題】薬の服用の際や栄養成分の補給の際には、顆粒や錠剤、カプセルタイプの場合、水で流し込まなければならなかった。また、ミカンやブドウ、マスカットなどの果肉入り飲料（ドリンク）は、果肉が飲料下部に沈殿するため、飲む前に缶やボトルを振って飲まなければならなかった。【解決手段】以上の課題を解決するために飲料（ドリンク）に、薬効成分含有及び栄養成分含有の粒を入れ、それらの粒が飲料（ドリンク）の液中に浮遊する状態をつくり飲みやすくした。【選択図】図１
2011234736.tif 000002
【特許請求の範囲】
【請求項１】
薬効成分含有及び栄養成分含有の粒を入れることを特徴とする飲料（ドリンク）。
【請求項２】
薬効成分含有及び栄養成分含有の粒が飲料（ドリンク）の液中に浮遊することを特徴とする飲料（ドリンク）。
【発明の詳細な説明】
【技術分野】
【０００１】
本発明は、特に健康飲料として、粒形状にした薬効成分含有粒及びビタミンやミネラルなどの栄養成分含有粒入り飲料（ドリンク）と、その粒が飲料（ドリンク）の液中に浮遊することを可能にした飲料（ドリンク）に関する。
【背景技術】
【０００２】
従来から、ミカンやブドウ、マスカット、桃などの果肉が入った飲料（ドリンク）やトウモロコシの粒が入った飲料（ドリンク）が存在する。
【０００３】
果汁及び野菜ジュース入りのクラッシュタイプのゼリー状飲料が存在する。
【０００４】
顆粒及びカプセル、錠剤タイプの薬の服用やサプリメントを摂取する際には、水やお茶などで流し込む。
【先行技術文献】
【特許文献】
【０００５】
【特許文献１】特開２００４−９７０２２号公報
【特許文献２】特開２００５−２９５９７７号公報
【特許文献３】特開２００８−２１２０８９号公報
【発明の概要】
【発明が解決しようとする課題】
【０００６】
果肉入り飲料（ドリンク）は、缶などの容器の底に果肉が沈殿するため、それら果肉を最後まで飲み干すことが難しい。
【０００７】
果汁及び野菜ジュースのクラッシュタイプ飲料（ドリンク）は、ゼリー状のため、喉を潤すには不十分である。
【０００８】
顆粒及びカプセル、錠剤タイプの薬の服用の際やサプリメントを摂取する際に、水やお茶などで流し込む必要がある。
【課題を解決するための手段】
【０００９】
以上の課題を解決するために請求項１の発明は、服用したい薬効成分含有粒及び補給したいビタミンやミネラルなどの栄養成分含有粒を飲料（ドリンク）に入れる。粒の大きさは、飲み込む際に喉にかからない米粒程度から一般的に薬の錠剤及びカプセルタイプとして市販されている大きさが妥当である。
【００１０】
請求項２の発明は、飲料（ドリンク）の液中にそれらの粒が浮遊する状態を作る。
【発明の効果】
【００１１】
本発明によれば、特に特定の薬効成分を摂取する必要がある人に対し、またビタミンやミネラルなどの栄養成分をコントロールしなければならないダイエットを必要とする人、さらには日常の不足しがちなビタミンやミネラルなど栄養成分の摂取をコントロールする必要がある健康管理を要する人にとって、それら薬効成分や栄養成分を粒形状にし、飲料（ドリンク）の中に入れることにより、より容易に摂取したい薬効成分や栄養成分を摂取することができる。
飲料（ドリンク）液は、果汁やエキスが含まれたもの、野菜ジュース、さらには、栄養補給剤などして特別に加工されたものでもよい。
【００１２】
飲料（ドリンク）の中に入れた薬効成分やビタミンやミネラルなどの栄養成分含有の粒が液中に浮遊しているため、それらの粒をきれいに飲み干すことができる。
【００１３】
特に、粒形状をグミ状態にすることにより、プチプチとした食感が楽しめるため薬の服用やサプリメントの摂取をきらう子供たちへの常用が容易になる。
以下、実施例を挙げて本発明を更に詳述するも、本発明がこれらの説明や手順に限定されるものではない。
【００１４】
例えば、食物繊維、かつ低カロリーの栄養成分が必要とする人を対象とした場合、こんにゃく粒やところてんの粒を飲料（ドリンク）の中に入れる。その粒が容器下部に沈殿することを避けるために、寒天やゼラチンなどで飲料液全体に若干のとろみを持たせ、それら粒が液中に浮遊する状態を作る。好みによりとろみの強弱を寒天やゼラチンなどの配合率で調整する。寒天やゼラチンの内容量全体比に占める割合が多ければ多いほど、液状からゼリー状へとなっていく。飲料の液中に入れられる粒がグミ形状の場合、それが液中に浮遊するための寒天の場合の配合率は、内容量全体比の０．０１パーセントから０．０２パーセントが妥当である。
【図面の簡単な説明】
【００１５】
【図１】本発明の一実施形態を示す正面図である。
【図２】本発明の一実施形態を示す正面図である。
【産業上の利用可能性】
【００１６】
清涼飲料水に薬効成分含有及び栄養成分含有粒を入れることにより、容易にそれら成分を補給及び補完することが可能となり、さらに粒形状をグミ状態にした場合には、プチプチとした食感も楽しめて、特に子供への薬の服用やサプリメント与えることが容易となる。
【符号の説明】
【００１７】
図１
１・・・キャップ
２・・・ペットボトルや瓶の容器
３・・・粒
４・・・飲料（ドリンク）液
【００１８】
図２
１・・・キャップ
２・・・クラッシュタイプ容器
３・・・粒
４・・・飲料（ドリンク）液
【図１】
2011234736.tif 000003
【図２】
2011234736.tif 000004
【手続補正書】
【提出日】平成23年8月22日(2011.8.22)
【手続補正１】
【補正対象書類名】明細書
【補正対象項目名】００１７
【補正方法】変更
【補正の内容】
【００１７】
清涼飲料水に薬効成分含有及び栄養成分含有粒を入れることにより、容易にそれら成分を補給及び補完することが可能となり、さらに粒形状をグミ状態にした場合には、プチプチとした食感も楽しめて、特に子供への薬の服用やサプリメントなどを飲ますことが容易となる。
(57)【要約】【課題】光波石製造プロセスを提供する。【技術手段】粉砕済みの高純度磁性粉末、粉砕済みの高純度純ゲルマニウム、粉砕済みの高純度純銀、粉砕済みの高純度純チタン、粉砕済み電気石及び、有機材料を燃焼して得られた無炭素灰を結合して作られた光波石を特徴とする光波石製造プロセスであり、それにより、同時に多種のエネルギーを持って、体の健康によい単一光波石が得られる。  【選択図】図1
2011234853.tif 000002
【特許請求の範囲】
【請求項１】
磁性粉末を、高純度９９．９９９％の純ゲルマニウムを、高純度の純銀を、高純度の純チタンを、電気石を順次に粉砕し、有機材料を完全燃焼して無炭素灰を得て、そして、粉砕済み該磁性粉末、粉砕済み該純ゲルマニウム、粉砕済み該純銀、粉砕済み該純チタン、粉砕済み該電気石及び該無炭素灰を結合して光波石を製造するという手順が設けられていることを特徴とする光波石製造プロセス。
【請求項２】
該有機材料は、動物の貝殻、器官、その排泄物に海藻、植物、木材、穀物を合わせて作られていることを特徴とする請求項１に記載の光波石製造プロセス。
【請求項３】
該動物は、鳥と魚が含まれていることを特徴とする請求項２に記載の光波石製造プロセス。
【請求項４】
該光波石は更に、少なくとも、樹脂、セラミック、繊維、紙のいずれかの一つ以上の材料を結合して作られていることを特徴とする請求項１に記載の光波石製造プロセス。
【発明の詳細な説明】
【技術分野】
【０００１】
本発明は、光波石製造プロセスに関わり、特に、同時に多種のエネルギーを持つ光波石製造プロセスに関する。
【背景技術】
【０００２】
現代の工業社会では、高度に発展されるため、人々に仕事や生活への圧力を与えているほかに、運動不足、長い間に体の健康をよく管理しないため、血行がよくならず、筋肉が硬くなったり、腰や背中が痛くなったりなどして、薬物でなかなか治療しにくい慢性病になった場合が多い。決まった生活形態の中で、健康を保つために、人々はいろんな健康作りの方法を求めている。
【０００３】
民間では、様々な治療方法が行われており、例えば、気功、強力の磁石（磁気界）、低周波、超低周波電磁界、マイナス高電位健康療法、電解飲用水、空気中への負電荷放出、遠赤外線を放出させるためのセラミック加熱などが挙げられるが、それらはそれぞれ単一エネルギーであり、多種のエネルギーを同時に持って、体の健康作りに用いられないということは改善すべきことである。  
【０００４】
それゆえ、同一の物体に多種のエネルギーを持って、体の健康作りに用いられるものを開発するのが、いまは一刻も猶予できない課題である。  
【発明の概要】
【発明が解決しようとする課題】
【０００５】
本発明は、多種のエネルギーを持って、体の健康によい光波石製造プロセスを提供することを目的とする。
【課題を解決するための手段】
【０００６】
本発明は、光波石製造プロセスを提供するが、磁性粉末を、高純度９９．９９９％の純ゲルマニウムを、高純度の純銀を、高純度の純チタンを、電気石を順次に粉砕し、有機材料を完全燃焼して無炭素灰を得て、そして、粉砕済み該磁性粉末、粉砕済み該純ゲルマニウム、粉砕済み該純銀、粉砕済み該純チタン、粉砕済み該電気石及び該無炭素灰を結合して光波石を製造するという手順が設けられていることを特徴とする。
【０００７】
有機材料は、鳥、魚など動物の貝殼、器官、その排泄物に海藻、植物、木材、穀物を合わせて作られており、また、粉砕済み磁性粉末、粉砕済み純ゲルマニウム、已粉砕済み純銀、粉砕済み純チタン、粉砕済み電気石及び有機材料の重量百分率は０．０１％またはそれ以上になる。
【０００８】
また、光波石は更に、少なくとも、樹脂、セラミック、繊維、紙のいずれかの一つ以上の材料を結合して作られている。
【図面の簡単な説明】
【０００９】
【図１】本発明の光波石製造プロセスのブロックチャート。
【発明を実施するための形態】
【００１０】
以下の実施形態により、本発明の特徴や特長を詳しく説明するが、この内容により、この関連分野の者が本発明のノウハウを理解、実施し、そして、本明細書に開示された内容、特許申請の範囲、図面により、この関連分野の者が簡単に本発明に関する目的と特長が理解できると思われる。
【実施例】
【００１１】
図１に示すのは、本発明の光波石製造プロセスのブロックチャートである。
本実施例の光波石製造プロセスは、以下の手順Ｓ１〜Ｓ７からなる。すなわち、手順Ｓ１：磁性粉末を粉砕する。手順Ｓ２：高純度９９．９９９％の純ゲルマニウムを粉砕する。手順Ｓ３：高純度の純銀を粉砕する。手順Ｓ４：高純度の純チタンを粉砕する。手順Ｓ５：電気石を粉砕する。手順Ｓ６：有機材料を完全燃焼にして無炭素灰を得る。そして、手順Ｓ７：粉砕済み磁性粉末、粉砕済み純ゲルマニウム、粉砕済み純銀、粉砕済み純チタン、粉砕済み電気石及び無炭素灰を結合して光波石を作る、という手順が設けられている。
【００１２】
有機材料は、鳥、魚など動物の貝殼、器官、その排泄物に海藻、植物、木材、穀物を合わせて作られており、また、粉砕済み磁性粉末、粉砕済み純ゲルマニウム、已粉砕済み純銀、粉砕済み純チタン、粉砕済み電気石及び有機材料の重量百分率は０．０１％またはそれ以上になる。
【００１３】
そして、手順Ｓ７の光波石は更に、少なくとも、樹脂、セラミック、繊維、紙のいずれかの一つ以上の材料を結合して作られている。
【００１４】
それで、上述の材料と製造プロセスで作られた光波石は、磁気エネルギー、マイナスイオン、微量ゲルマニウム元素、チタン元素、銀イオンなど、多種のエネルギーを放出して、体の健康作りに役立てるものである。  
【００１５】
上述の内容は、本発明の課題を解決するための技術手段に関する好適な実施方法または実施例のみが掲示されており、それらを以って本発明の特許請求の範囲を制限してはならない。すなわち、本発明の特許請求の範囲に一致し、または本発明の特許請求の範囲をもとに、その改造や変更などを行ってそれと同等な効果を得たとしても、いずれも本発明の特許請求の範囲に含まれるものとする。
【符号の説明】
【００１６】
手順Ｓ１〜Ｓ７  本発明の光波石製造プロセスを実行するための各手順
【図１】
2011234853.tif 000003
(57)【要約】      （修正有）【課題】従来工法では、ドーナツ状板の切断端材のロスや、加熱エネルギーや加工工数の多大さが大きな難点であった。使用する鋼材の殆ど１００％製品化されるオーガー加工装置を提供する。【解決手段】鋼管等を中心軸５として、その外周に螺旋状、又は密着コイル状に平鋼９を巻き付けて廻転させる。【選択図】図２
2011005543.tif 000002
【特許請求の範囲】
【請求項１】
鋼管、及び、丸鋼、多角鋼、等種々の素材を中心軸として、その外周に螺旋状、又は密着コイル状に平鋼又は種々の素材を巻き付けて廻転させる。特に建築土木工事において基礎となる杭を土中に設置するための、通称「オーガー」と呼ばれる羽根を連続かつ正確にして高能率に連続加工する装置である。
【発明の詳細な説明】
【技術分野】
【０００１】この発明は、従来、鋼板から板を切り出し面倒な工程を経なければ、作り出せなかったオーガーを、正確かつ迅速に自動的に製造する装置である。
【背景技術】
【０００２】従来の加工方法は鋼板からドーナツ状の板を切り出し、それをプレス加工し溶接で継ぎ合わせていたため、資材のロスや消耗品・工賃の多さ、仕上がりの精密さ等により多大の経費が掛かっており、尚かつ精密な製品の需要に答えられる製作も不可能であつた。
又、別の製作方法として平鋼をガスバーナー等で赤熱して、鋼管に巻き付ける方法も有るが、多大の消耗品が必要な事と、平鋼の熱によるひずみが大きく精密な製品としては使用出来ない。
【発明の開示】
【発明が解決しようとする課題】
【０００３】しかしながら、以上の技術によれば材料が１００％製品となる。消耗品の必用が無くなり、パイプに施工された平鋼のパイプ面と外周面の板厚変化が１．５％以下に仕上がり（此の誤差は非常に重用な条件である）従来の方法では成し得なかった事を可能にした。
又、巻仕上がりの精密さやスパイラルピッチの精度等も、従来の溶接継ぎ足しサンダー仕上げでは成し得なかった事である。
【課題を解決する為の手段】
【０００４】次は施工能力で１ピッチの巻き速度は１分以下である。又、必要電力もサーボモーター２台で、２０Ａ程度と非常に経済的になる。
もう一つの装置能力として、巻き加工平鋼は移動させずに、加工パイプの廻転とスパイラル、ピッチの縦軸方向の移動を同調させている。
尚、ピツチの変更は１本のオーガーの途中であつても、設定されたソフトに従って自動で製作が完了する。
オーガー巻加工と同時に、ロボツト溶接機２台を稼働させ、平鋼両側の溶接施工も同時に施工が完了するという画期的な方法が完成した。
尚、この発明の基本的な条件は平鋼供給部分の制御にあり、この送り込み平鋼の水平角度、そして垂直角度を自動制御させた事により、巻加工が完成している。
次に施工システムの立ち上げだが、機械作動ソフトの製作では今の状況に対応する事はもちろん、今後、別規格の製作品が出ても、現場の作業者がタッチパネル上で数値を打ち込んで製作に対応出来る機能とした。
【図面の簡単な説明】
【０００８】
【図１】従来の施工を示す図である。
【図２】この発明の全体平面図及び側面図である。
【図３】この発明の左側平面１／２図である。
【図４】この発明の右側平面１／２図である。
【図５】この発明の左側側面１／２図である。
【図６】この発明の右側側面１／２図を示す。
【符号の説明】
【００１０】〔図１〕従来のオーガーの加工では、図１に示す平面な板からドーナツ状の板を切断し、次に、図２の形にプレス等で加工し、図３の要領で溶接を継ぎ足してようやく一本の製品に仕上げる方法でしか加工が出来なかった。
〔図２〕此の発明の全体平面、側面図である。（細部明瞭でないため、別図３、４、５、６  １／４図にて示す。
〔図３〕
〔図４〕
〔図５〕
〔図６〕
１  此の装置の架台、主材Ｈ鋼全長１３Ｍ、２分割
２  主駆動装置を架装した移動台車（３の角ネジ及び４のサーボモーターにより、左右に移動）
４  Ｘ軸駆動用サーボモーター。
５  オーガー巻取り駆動主軸、先端にスクロールチャック架装主パイプ保持。
６  オーガー巻き取り用サーボモーター（４のＸ軸サーボとコンピューター制御によりオーガーピッチ合わせ）
７  ６本爪スクロールチャック（各パイプ太さ、６角ジョイト等保持）
８  スパラル加工されたオーガー  長さ６．５Ｍ。
９  供給される平鋼  −１９×６５  →２５×１００
１０  平鋼、水平角度調整用サーボモーター。
１１  平鋼、垂直角度調整用サーボモーター。
１２  平鋼、架台上下用サーボモーター。
１３  平鋼、巾方向保持装置。
１４  電源、システム制御盤。
１５  ロボット溶接装置２式。
【図１】
2011005543.tif 000003
【図２】
2011005543.tif 000004
【図３】
2011005543.tif 000005
【図４】
2011005543.tif 000006
【図５】
2011005543.tif 000007
【図６】
2011005543.tif 000008
(57)【要約】【課題】帳票類に捺印する場合に「真っ直ぐに、速やかに」押印でき、左右どちらの利き手でも容易に位置決めができ、転がり防止機能をもったネーム印・印鑑を提供する。【解決手段】本発明はこれらの問題を解決すべく、図１のような構成からなるネーム印・印鑑を発明する。▲１▼ネーム印・印鑑本体１の一部に直角部の形状２を作り、位置決めとすることにより「真っ直ぐに・速やかに」捺印できる機能を提供する。また、左右どちらの利き手でも容易に位置決めが可能となる。▲２▼同じく直角部の形状により転がり防止の機能も提供できる。【選択図】図１
2011005842.tif 000002
【特許請求の範囲】
【請求項１】
適正な部分に「直角部の形状」を設けることにより、位置決めの目安になり、真っ直ぐ・速やかに捺印できる円柱形ネーム印・印鑑。
【請求項２】
適正な部分に「直角部の形状」を設けることにより、位置決めの目安になり、左右どちらの利き手でも真っ直ぐ・速やかに捺印できる円柱形ネーム印・印鑑。
【請求項３】
適正な部分に「直角部の形状」を設けることにより、転がり防止を特徴とする円柱形ネーム印・印鑑。
【発明の詳細な説明】
【技術分野】
【０００１】▲１▼本発明はネーム印・印鑑を真っ直ぐに捺印できるように位置決めするための形状を下端につくり、所定の位置に「速やかに・確実に」押印できるようにしたものである。
▲２▼当該位置決め形状により、持ち手の右利き・左利きの方でも容易に使用できるものである。
▲３▼また、当該品は指先の感触で真っ直ぐかどうか、見なくても認識できるものである。
▲４▼そして、当該形状にすることにより、円柱形のネーム印・印鑑の「転がり防止」ができるものである。
【背景技術】
【０００２】従来は位置決め用として、持つ位置上端にホルダーとして平面部を設けているのがあるが、使用上真っ直ぐに捺印するのはかなり熟練を要する。
また、一部新規発明として開発されたものもあるが、残念ながら満足できるに至っていない。【０００３】
【特許文献１】特開２００５−３０５９８９  特開２００５−１５３４８５  特開２００７−８３５９０
【発明の開示】
【発明が解決しようとする課題】
【０００４】業務上ネーム印・印鑑を頻繁に使用する場合（例  帳票類・検査・検品作業等）押印するのが精一杯で、真っ直ぐに捺印するのは程遠いのが実状である。お客様への捺印の向きが横向き、逆さ向きでは失礼にあたる。よって、所定の位置に「真っ直ぐ・速やかに・確実に」捺印できるネーム印・印鑑を提供する。
また、ネーム印・印鑑は円柱形であるゆえ、デスク上などで転がりにより落下、破損も考えられる。よって、転がり防止ができる機能を提供する。
【課題を解決するための手段】
【０００５】▲１▼ネーム印・印鑑本体１の一部に直角部の形状２を作り位置決めとすることにより「真っ直ぐに、速やかに」捺印できる機能を提供する
▲２▼また、直角部の形状により、転がり防止の機能も提供できる。
【発明の効果】
【０００６】▲１▼所定位置内に真っ直ぐに捺印できる。
▲２▼指先の触感で「天地」が判明する。
▲３▼速やかに捺印できる。
▲４▼左右どちらの利き手でも位置決めが容易にできる。
▲５▼転がりが防止できる。
【実施例１】
【０００７】添付［書類名］試作サンプル写真  参照
【図面の簡単な説明】
【０００８】正面図・側面図  試作サンプル写真図
【符号の説明】
【０００９】特になし
【図１】
2011005842.tif 000003
【手続補正書】
【提出日】平成21年8月20日(2009.8.20)
【手続補正２】
【補正対象書類名】明細書
【補正対象項目名】０００８
【補正方法】変更
【補正の内容】
【０００８】
【図１】本発明の斜視図である。
【図２】本発明の試作サンプル写真である。
【手続補正３】
【補正対象書類名】図面
【補正対象項目名】全図
【補正方法】変更
【補正の内容】
【図１】
2011005842.tif 000004
【図２】
2011005842.tif 000005
(57)【要約】【課題】本発明は、建築用材料として用いられているパネル材に熱反射性層を付与する方法に関する。近年、環境問題への意識の高まりや法規制の強化等により、冷暖房効率の向上が世界的な課題となっており、遮熱効果の高い建築材料の開発が望まれている。上記実情を鑑み、本発明は、建築材料であるパネル材に製造の段階で熱反射層を付与することにより熱反射性機能を高め、建築物の冷暖房効率を向上させることを課題とした。【解決手段】本発明者は鋭意研究の結果、上記課題を解決するために、建築用パネル材の表面に熱線反射性層を付与する方法として、真球状の金属酸化物粒子が有効であることを見いだした。【選択図】図１
2011005844.tif 000002
【特許請求の範囲】
【請求項１】
熱線反射性パネル材は、基材と球状金属酸化物粒子が配合された水系塗料組成物中からなる熱線反射層が、少なくとも該基材の一面側に形成されていることを特徴とする熱線反射性パネル材。
【請求項２】
前記基材はスレート板、ファイバーボード、ガラス質積層板、ケイ酸カルシウム板、スラッグ石膏板、セメント系ボード等から選択された少なくとも一種のボードで構成されることを特徴とする請求項１の熱線反射性パネル材。
【請求項３】
前記熱線反射層を形成する水系塗料組成物は、水系アクリル塗料、水系アルキド−ポリエステル塗料、水系ポリウレタン塗料、水系フッ素樹脂塗料、水系エポキシ塗料、シリコーン変性アクリル塗料など一般的に水系塗料組成物中に含有される組成物を適宜、含有することができることを特徴とする請求項１から２のいずれかの熱反射性パネル材。
【請求項４】
前記熱線反射層の水系塗料組成物に配合される球状金属酸化物粒子の組成がシリカであることを特徴とする請求項１から３のいずれかの熱線反射性パネル材。
【請求項５】
請求項１の球状金属酸化物粒子の真球度が０．７以上である請求項１から４のいずれかの熱線反射性パネル材。
【発明の詳細な説明】
【技術分野】
【０００１】  本発明は、建築用材料として用いられているパネル材に熱線反射性機能を付与することに関する。さらに詳しくは、パネル材に熱線反射性層を付与する方法に関する。
【背景技術】
【０００２】  近年、環境問題への意識の高まりや法規制の強化等により、冷暖房効率の向上が世界的な課題となっている。遮熱効果の高い建築材料の開発が望まれている。【０００３】  ところで、粒径０．２μｍ〜１０μｍ程度の真球度高い球状金属酸化物粒子を含有する塗料は赤外線反射率が高く、熱遮蔽性が優れているということが知られている（特許文献１）。
【先行技術文献】
【特許文献】
【特許文献】ＷＯ２００６／１０４２９０
【発明の概要】
【発明が解決しようとする課題】
【０００４】  上記実情を鑑み、本発明は、建築材料であるパネル材に製造の段階で熱反射層を付与することにより、熱反射効率を高め、建築物の冷暖房効率を向上させることを課題とした。
【課題を解決するための手段】
【０００５】  本発明者は鋭意研究の結果、上記課題を解決するために、建築用パネル材の表面に熱線反射性層を付与する方法として、真球状の金属酸化物粒子が有効であることを見いだした。
【発明の効果】
【０００６】  本発明の熱線反射性パネル材は、球状金属酸化物粒子を含有することで高い熱線反射性を有していることから、このパネル材を建造物の屋根や壁、床に材料として用いることにより、熱線を反射し建築物内部の温度を一定に保ち、冷暖房効率が改善される。よって省エネへの大きな貢献が期待される。
【図面の簡単な説明】
【０００７】
【図１】  本発明の実施形態における基材に真球状の金属酸化物粒子を含有する層を付与した状態の断面図を示す。
【発明を実施するための形態】
【０００８】  以下、本発明の一実施形態について図面を用いて詳述する。図１は本実施形態におけるパネル材の断面を示したものである。
【０００９】  図１において１は基材であり、スレート板、ファイバーボード、ガラス質積層板、ケイ酸カルシウム板、スラッグ石膏板、セメント系ボードなどを採用することができる。
【００１０】  図１において２は熱反射層であり、少なくとも一面側に形成されており、球状金属酸化物粒子が配合されている水系塗料組成物からなる。球状金属酸化物粒子は熱線反射層の質量を基準として２０％以上含有していることが望ましい。
【００１１】  前記の球状金属酸化物粒子の組成は特に限定しないが、含有する金属としてはケイ素、アルミニウム、チタン、ジルコニウムなどが挙げられる。コストや性能などの観点からケイ素を用いたシリカが望ましい。
【００１２】  前記の球状金属酸化物粒子の粒径は０．０５μｍから２０μｍ程度、より好ましくは０．２μｍから１０μｍ程度のものが望まれる。また、粒径のばらつきができるだけ小さいものが望まれる。
【００１３】  前記の球状金属酸化物粒子は真球度が０．７以上であることが望ましい。ここで、本明細書中における「真球度」とは、ＳＥＭで写真を撮り、その観察される粒子の面積と周囲長から、（真球度）＝｛４π×（面積）÷（周囲長）２｝で算出される値とする。１に近づくほど真球に近い。
【００１４】  熱反射性層を形成する水系塗料組成物は、水系アクリル塗料、水系アルキド−ポリエステル塗料、水系ポリウレタン塗料、水系フッ素樹脂塗料、水系エポキシ塗料、シリコーン変性アクリル塗料などの水系塗料組成物中に含有される組成物を適宜、含有することができる。
【符号の説明】
【００１５】１      基材
２      熱線反射層
３      真球状金属酸化物粒子
【図１】
2011005844.tif 000003